(57)【特許請求の範囲】
【請求項１】
一方のアームホールを規定する第１の規定部と、他方のアームホールを規定する第２の規定部とネックホールを規定するネックホール規定部とを有する身ごろと；
前記身ごろの前身ごろ側に設けられている一対の第１及び第２のカップ部と；
前記第１のカップ部に、その一端部が固定され、その他端部が前記身ごろの前身ごろに固定されている第１のカップ吊り部材と；
前記第２のカップ部に、その一端部が固定され、その他端部が前記身ごろの前身ごろに固定されている第２のカップ吊り部材と、
前記前身ごろを有し、身体に密着する衣類部とを備え、
前記第１及び第２のカップ吊り部材が、前記第１及び第２のカップ部が設けられている前記前身ごろ側でそれらの延長線が互いに交叉しており、
前記第２の規定部及び／又は前記ネックホール規定部の前記第２の規定部近傍部分が、前記第１のカップ部から遠ざかる方向に移動した際、前記第１のカップ吊り部材の前記前身ごろへの固定位置が、前記第１のカップ部から遠ざかる前記方向に移動し、
前記第１の規定部及び／又は前記ネックホール規定部の前記第１の規定部近傍部分が、前記第２のカップ部から遠ざかる方向に移動した際、前記第２のカップ吊り部材の前記前身ごろへの固定位置が、前記第２のカップ部から遠ざかる前記方向に移動するカップ付きスポーツ衣類。
【請求項２】
前記ネックホール規定部は、ネックホール縁部を含み、
前記第１及び第２のカップ吊り部材の前記他端部は、前記ネックホール縁部の前記身ごろ側に固定されている請求項１記載のカップ付きスポーツ衣類。
【請求項３】
前記第１のカップ吊り部材と前記第２のカップ吊り部材の延長線が互いに交叉する位置は、着用状態における着用者のフロントネックポイント近傍である請求項１又は２記載のカップ付きスポーツ衣類。
【請求項４】
一端が前記第１のカップ部に固定され、他端が、前記衣類部に固定されている第１の脇布部と、
一端が前記第２のカップ部に固定され、他端が、前記衣類部に固定されている第２の脇布部とを更に備えた請求項１〜３のいずれか一項記載のカップ付きスポーツ衣類。
【請求項５】
前記第１及び第２のカップ部を前中心で連結するための前中心連結部を備え、
前記前中心連結部は接続手段を含み、
前記前中心連結部の前記接続手段により、前記第１のカップ部と前記第２のカップ部は、前中心で連結、分離可能にされている、請求項１〜４のいずれか一項記載のカップ付きスポーツ衣類。
【請求項６】
前記第１のカップ吊り部材の前記他端部は、接続手段により前記衣類部の前身ごろに対して、取り付け、取り外し可能にされており、
前記第２のカップ吊り部材の前記他端部は、接続手段により前記衣類部の前身ごろに対して、取り付け、取り外し可能にされている、請求項１〜５のいずれか一項記載のカップ付きスポーツ衣類。
【請求項７】
前記第１のカップ吊り部材の前記一端部は、接続手段により前記第１のカップ部に対して、取り付け、取り外し可能にされており、
前記第２のカップ吊り部材の前記一端部は、接続手段により前記第２のカップ部に対して、取り付け、取り外し可能にされている、請求項１〜６のいずれか一項記載のカップ付きスポーツ衣類。
【請求項８】
前記第１のカップ吊り部材は、その前記一端部が前記第１のカップ部の上縁部に取り付けられ、その前記他端部が前記衣類部の前身ごろのネックホール縁部に取り付けられた伸縮可能なテープ材であり、
前記第２のカップ吊り部材は、その前記一端部が前記第２のカップ部の上縁部に取り付けられ、その前記他端部が前記衣類部の前身ごろのネックホール縁部に取り付けられた伸縮可能なテープ材である請求項１〜７のいずれか一項記載のカップ付きスポーツ衣類。
【請求項９】
前記第１のカップ部の本体を構成する第１のカップ部材、前記第２のカップ部の本体を構成する第２のカップ部材のそれぞれは、その脇側部分の上端部から下端部にかけての縁部が滑らかに屈曲した弧形状をなし、その弧形状の縁部に沿って取り付けられたテープ材が当該カップ部材の上端部から着用状態における着用者のネックポイント近傍の方向に滑らかに導出されて先端部が前記衣類部の前身ごろに取り付けられている請求項１〜８のいずれか一項記載のカップ付きスポーツ衣類。
【請求項１０】
前記第１のカップ部用の前記テープ材は、前記第１のカップ部材の上端部から導出されて先端部が前記衣類部の前身ごろのネックホール縁部に取り付けられており、
前記第２のカップ部用の前記テープ材は、前記第２のカップ部材の上端部から導出されて先端部が前記衣類部の前身ごろのネックホール縁部に取り付けられている請求項９記載のカップ付きスポーツ衣類。
【請求項１１】
前記第１のカップ部と前記第２のカップ部を前中心で連結するための前中心連結部を備え、
前記第１の脇布部及び前記第２の脇布部は、前記前中心連結部に比べて相対的に幅が広く、かつ伸縮性を有する素材を含む、請求項４記載のカップ付きスポーツ衣類。
【請求項１２】
前記第１及び第２の脇布部の幅は、３〜９ｃｍである、請求項４又は１１記載のカップ付きスポーツ衣類。
【請求項１３】
前記第１及び第２の脇布部は弾性糸を含み、前記弾性糸の本数や太さを変えたり、編組織を変えたりすることで、部分的にパワーの強弱差を付けられたパワーネット、トリコット及びトリコネットのうちの少なくともいずれか一つを含む、請求項４、１１、１２いずれか記載のカップ付きスポーツ衣類。
【請求項１４】
前記第１及び第２の脇布部は、中間部と、その上下にある上下両端部とを含み、
前記上下両端部のパワーを前記中間部のパワーよりも強くしたパワーネット、トリコット及びトリコネットのうちの少なくともいずれか一つを含む、請求項４、１１、１２、１３いずれか記載のカップ付きスポーツ衣類。
【発明の詳細な説明】
【０００１】
【発明の属する技術分野】
本発明は、婦人用のスポーツ衣類に関し、例えば、水着、レオタード、スポーツアンダーのようなカップ付きスポーツ衣類に関する。
【０００２】
【従来の技術】
婦人用水着のようなスポーツ衣類には、左右一対のカップ部を身ごろに配置したカップ付きスポーツ衣類と呼ばれるものがある。右（左）カップ部は、一般に、右（左）脇布と右（左）カップ吊り紐により、身ごろに取り付けられる。右（左）カップ吊り紐の一方の端部は、右（左）カップ部の上縁部に縫い付けられる。右（左）カップ吊り紐の他方の端部は、身ごろの右（左）アームホール（腕を通す穴）縁部に縫い付けられたり（タイプ１）、身ごろのネックホール（くびを通す穴）縁部に縫い付けられたりする（タイプ２）。タイプ１は、例えば、特開平２−２６４００２号公報に開示されている。タイプ２は、例えば、実開昭６０−６７３１３号公報、実開平１−１７７２１３号公報、及び、実用新案登録第３０４２７６９号公報に開示されている。タイプ２の変形として、右（左）カップ吊り紐の他方の端部が、ホックにより、ネックホール縁部に接続されている水着がある。このタイプでは、右（左）カップ吊り紐の他方の端部は、ネックホール縁部に取り付けたり、取り外したりすることができる。
【０００３】
【発明が解決しようとする課題】
しかし、上記のような従来のカップ付きスポーツ衣類では、着用者の腕の動きによって、バストの保持が不安定になる問題やバストの造型が保ちにくい問題があった。以下、詳細に説明する。
【０００４】
一般に、カップ付きスポーツ衣類は伸縮性の優れた素材で形成されているので、着用状態において、身体と密着する。着用者は、例えば、水泳のクロールのように、左右の腕を交互に上方に大きく動かすことがある。このとき、腕の付け根部分から肩が持ち上がることにより、身ごろの肩の部分は大きく伸び上がる。これにより、アームホール縁部は、肩の部分の動きに連れられて上へ伸びるように引っ張られる。肩に近い部分のネックホール縁部も肩の部分の動きに連れられて上へ伸びるように引っ張られる。
【０００５】
したがって、上記タイプ１の場合、右（左）アームホールに上へ伸びるような強い引っ張りの力が作用することにより、右（左）カップ吊り紐が強く引き上げられる。これにより、バストの保持が不安定になる問題やバストの造型が保ちにくい問題が生じる。
【０００６】
一方、上記タイプ２の場合、ネックホールの右（左）側部分に上へ伸びるような引っ張りの力が作用することにより、右（左）カップ吊り紐が引き上げられる。この引張力は、タイプ１の引張力より小さいが、タイプ１と同様に上記二つの問題が生じる。特に、水着の場合、ネックホールからの水の浸入を防ぐために、ネックホール縁部には比較的強靭な弾性を有する素材が使用される。このため、ネックホール縁部の動き（ストローク）はアームホール縁部の動きに比べて小さいが、カップ吊り紐を引き上げる力（パワー）は強い。このため、バストの保持が不安定になりやすく、バストの造型機能も損なわれる。
【０００７】
本発明は、激しい腕の運動によっても、バストの保持が安定し、かつ、バストの造型（バストアップ）機能に優れたカップ付きスポーツ衣類を提供することを目的とする。
【０００８】
【課題を解決するための手段】
本発明に係るカップ付きスポーツ衣類は、一方のアームホールを規定する第１の規定部と、他方のアームホールを規定する第２の規定部とネックホールを規定するネックホール規定部とを有する身ごろと；身ごろの前身ごろ側に設けられている一対の第１及び第２のカップ部と；第１のカップ部に、その一端部が固定され、その他端部が身ごろの前身ごろに固定されている第１のカップ吊り部材と；第２のカップ部に、その一端部が固定され、その他端部が身ごろの前身ごろに固定されている第２のカップ吊り部材と、前身ごろを有し、身体に密着する衣類部とを備え、第１及び第２のカップ吊り部材が、第１及び第２のカップ部が設けられている前身ごろ側でそれらの延長線が互いに交叉しており、第２の規定部及び／又はネックホール規定部の第２の規定部近傍部分が、第１のカップ部から遠ざかる方向に移動した際、第１のカップ吊り部材の前記前身ごろへの固定位置が、第１のカップ部から遠ざかる方向に移動し、第１の規定部及び／又はネックホール規定部の第１の規定部近傍部分が、第２のカップ部から遠ざかる方向に移動した際、第２のカップ吊り部材の前身ごろへの固定位置が、第２のカップ部から遠ざかる前記方向に移動する。
【０００９】
本発明において、第２のカップ吊り部材の他端部は、ネックホール規定部のうち一方のアームホール側にある部分、及び／又は、一方のアームホール規定部に引っ張りの力が作用したとき、第２のカップが一方側に引っ張られるように、身ごろに取り付けられている。また、第１のカップ吊り部材の他端部は、ネックホール規定部のうち他方のアームホール側にある部分、及び／又は、他方のアームホール規定部に引っ張りの力が作用したとき、第１のカップが他方側に引っ張られるように、身ごろに取り付けられている。
【００１０】
よって、一方の腕を上げると第２のカップ部が第２のカップ吊り部材により引き上げられ、他方の腕を上げると第１のカップ部が第１のカップ吊り部材により引き上げられる。従って、激しい腕の動きによる第１及び第２のカップ部の動きが大幅に緩和される。
また、腕を上げたときのカップ吊り部材によるカップ部の引き上げ方向は、第１のカップ部については他方の上方向、第２のカップ部については一方の上方向である。従って、いわゆる「寄せ」方向に引き上げることになるので、運動時にバストを美しく寄せ上げる、という造型機能を発揮できる。なお、本発明において、一方及び他方とは、例えば、一方が右のとき他方が左であり、また、一方が左のとき他方が右となる。
【００１１】
本発明において、第１及び第２のカップ吊り部材の延長線が互いに交叉するように衣服部の前身ごろに取り付けられている。よって、上記と同様に、激しい腕の運動によっても、バストの保持が安定し、かつ、優れたバストの造型（バストアップ）機能を発揮できる。
【００１２】
【発明の実施の形態】
以下、図面を参照して本発明の実施形態、第１及び第２参考例に係る水着を説明する。各図において、同一要素については、同一符号を付している。符号が示す要素のうち、左カップ部と右カップ部等、左右の区別をしているものがある。これは、着用者から見ての左右である。よって、着用者又は水着を前から見た図では、図面の右が着用者にとって左となり、図面の左が着用者にとって右となる。
【００１３】
［実施形態の概要］
まず、各実施形態の概要について、図１Ａ、図１Ｂ、図１Ｃを用いて説明する。図１Ａは実施形態の概要を示し、図１Ｂは第１参考例の概要を示し、図１Ｃは第２参考例の概要を示す。これらの図は、水着を正面から見た図である。
【００１４】
実線で示す部分は、衣服部（身ごろ）１の前身ごろ１１を示す。衣服部（身ごろ）１の右部には、右アームホールを規定する規定部の一例となる右アームホール縁部１４Ｒがある。衣服部１の左部には、左アームホールを規定する規定部の一例となる左アームホール縁部１４Ｌがある。衣服部１の上部には、ネックホールを規定する規定部の一例となるネックホール縁部１６がある。ネックホール縁部１６は、ネックホール規定部のうち右アームホール側にある部分１６Ｒと、ネックホール規定部のうち左アームホール側にある部分１６Ｌとから構成される。
【００１５】
点線で示す部分は、衣服部（身ごろ）１の内側に配置された左カップ部２Ｌ、右カップ部２Ｒ、左カップ吊り紐５Ｌ、右カップ吊り紐５Ｒ、前中心連結部３、右脇布部４Ｒ、左脇布部４Ｌを示している。カップ吊り紐は、カップ吊り部材の一例である。符号８は、前中心線を示している。前中心線８は想定（仮想）線であり、実際には存在しない。
【００１６】
右（左）カップ吊り紐５Ｒ（５Ｌ）の一方の端部は、右（左）カップ部２Ｒ（２Ｌ）の上部に取り付けられている。右（左）カップ吊り紐５Ｒ（５Ｌ）の他方の端部は、ネックホール縁部１６に取り付けられている。これらの部分を取り付け部７Ｒ（７Ｌ）とする。
【００１７】
右（左）カップ吊り紐５Ｒ（５Ｌ）の他方の端部の取り付け位置が実施形態、第１参考例、第２参考例で異なる。図１Ａに示す実施形態において、右（左）カップ吊り紐５Ｒ（５Ｌ）の他方の端部は、前中心線８の近傍であって、かつ、前中心線８に対して右（左）側に位置している。図１Ｂに示す第１参考例において、右（左）カップ吊り紐５Ｒ（５Ｌ）の他方の端部は、前中心線８上に位置している。図１Ｃに示す第２参考例において、右（左）カップ吊り紐５Ｒ（５Ｌ）の他方の端部は、前中心線８に対して、左（右）側に位置している。
【００１８】
実施形態、第１参考例、第２参考例の相違点は、次のように表現することもできる。ネックホール縁部１６の高さと右（左）カップ吊り紐５Ｒ（５Ｌ）の取り付け位置である。図１Ａの場合は、ネックホール縁部１６の位置が低く、右（左）カップ吊り紐５Ｒ（５Ｌ）は互いに交叉する手前でネックホール縁部１６に取り付けられている。図１Ｂの場合は、ネックホール縁部１６の位置が中程度で、右（左）カップ吊り紐５Ｒ（５Ｌ）は互いに交叉する位置でネックホール縁部１６に取り付けられている。図１Ｃの場合は、ネックホール縁部１６の位置が高く、右（左）カップ吊り紐５Ｒ（５Ｌ）は互いに交叉した位置の更に上方でネックホール縁部１６に取り付けられている。実施形態、第１及び第２参考例の共通の効果を説明する。
【００１９】
実施形態、第１及び第２参考例において、右カップ吊り紐５Ｒの他方の端部は、左アームホール縁部１４Ｌに引っ張りの力が作用したとき、及び／又は、ネックホール縁部１６のうち左アームホール側にある部分１６Ｌに引っ張りの力が作用したとき、右カップ部２Ｒが左側に引っ張られるように、ネックホール縁部１６に取り付けられている。また、左カップ吊り紐５Ｌの他方の端部は、右アームホール縁部１４Ｒに引っ張りの力が作用したとき、及び／又は、ネックホール縁部１６のうち右アームホール側にある部分１６Ｒに引っ張りの力が作用したとき、左カップ部２Ｌが右側に引っ張られるように、ネックホール縁部１６に取り付けられている。
【００２０】
このため、着用者が右腕を上げると、左カップ部２Ｌが左カップ吊り紐５Ｌにより引き上げられ、左腕を上げると右カップ部２Ｒが右カップ吊り紐５Ｒにより引き上げられる。よって、右腕を上げると右カップ部２Ｒが吊り上げられ、左腕を上げると左カップ部２Ｌが吊り上げられる従来例とは異なり、激しい腕の動きによるカップ部の動きが大幅に緩和され、安定性が向上する。
【００２１】
また、着用者が腕を上げたときのカップ吊り紐によるカップ部の引き上げ方向は、右カップ部２Ｒについては左腕を上げたときに左上方向、左カップ部２Ｌについては右腕を上げたときに右上方向である。このため、右カップ部２Ｒについては右腕を上げたときに上方向、左カップ部２Ｌについては左腕を上げたときに上方向である従来例とは異なり、いわゆる「寄せ」方向に引き上げることになる。このため、運動時においてもバストを美しく寄せ上げる、という優れた造型機能を発揮できる。
【００２２】
なお、上記実施形態、第１及び第２参考例の効果は、次のように説明することもできる。右カップ吊り紐５Ｒの他方の端部と、左カップ吊り紐５Ｌの他方の端部は、これらのカップ吊り紐同士が交叉し（図１Ｂ、図１Ｃ参照）、またはそれらの延長線がフロントネックポイント近傍で互いに交叉する（図１Ａ参照）ように、ネックホール縁部１６に取り付けられている。このため、上記と同様、バストの保持の安定性、及び、優れたバストの造型機能が得られる。
【００２３】
［実施形態］
次に、実施形態に係るカップ付き水着について詳細に説明する。実施形態は、図１Ａに示すように、右（左）カップ吊り紐５Ｒ（５Ｌ）の他方の端部は、取り付け部７Ｒ（７Ｌ）において、ネックホール縁部１６に取り付けられている。取り付け部７Ｒ（７Ｌ）は、前中心線８の近傍であって、かつ、前中心線８に対して右（左）側に位置している。別の表現を用いれは、右（左）カップ吊り紐５Ｒ（５Ｌ）は、左（右）上方向に伸びており、これらのカップ吊り紐が互いに交叉する手前の位置で、それらの端部がネックホール縁部１６に取り付けられている。
【００２４】
実施形態は、図２、図４〜図１１で示すように、様々なタイプがある。まず、実施形態の第１タイプについて、図２、図３Ａ、図３Ｂを用いて説明する。図２は接ぎ線を省略した水着の正面図であり、図３Ａは着用状態の水着の斜視図であり、図３Ｂは水着の背面図である。身体（主として胴体）を覆う衣服部１は、身体の前側を覆う前身ごろ１１と、身体の後側を覆う後見ごろ１２から構成される。前身ごろ１１と後見ごろ１２は、脇部などの位置で、接ぎ線により縫い合わせられる。前身ごろ１１及び後見ごろ１２は、着用時、着用者の身体に密着する。前身ごろ１１及び後見ごろ１２の素材としては、伸縮性や耐水性に優れたもの、例えば、ポリウレタン、ポリエステル、ナイロン、アクリルが用いられる。
【００２５】
衣服部１の右（左）アームホールは腕を通すための穴であって、縁部である右（左）アームホール縁部１４Ｒ（１４Ｌ）には、伸縮性と弾性を有するテープが取り付けられている。また、衣服部１のネックホールは首を通すための穴であって、縁部であるネックホール縁部１６にも伸縮性と弾性を有するテープが取り付けられている。これら縁部１４Ｒ、１４Ｌ、１６に取り付けられるテープとしては、例えば，ポリウレタン系平テープ、ラテックス系平テープがあり、コールゴム、編ゴム、織ゴム、各種のストレッチテープも使用できる。
【００２６】
なお、水着の場合には、右（左）アームホール縁部１４Ｒ（１４Ｌ）に比べてネックホール縁部１６の方が強靭であることが望ましい。よって、右（左）アームホール縁部１４Ｒ（１４Ｌ）に良く伸びるラテックス系平テープを使用したときには、ネックホール縁部１６には強靭なポリウレタン系平テープを用いることができる。ただし、同じ素材のテープであっても、幅、厚み、織り方によって伸縮性や弾性度は異なる。よって、縁部１４Ｒ、１４Ｌ、１６に同じ素材のテープを用いることもできる。
【００２７】
前身ごろ１１の内側には、点線で図示するように一対の右カップ部２Ｒと左カップ部２Ｌが配置されている。右（左）カップ部２Ｒ（２Ｌ）は、不織布、ポリウレタン等でバストにフィットする形状に成形されている。右（左）カップ部２Ｒ（２Ｌ）は、複数種類の布材を貼り合わせて形成されることも多い。
【００２８】
右カップ部２Ｒの前中心側端部と左カップ部２Ｌの前中心側端部は、テープ形状の前中心連結部３で互いに連結されている。前中心連結部３は、例えば、非伸縮性のテープ材（例えば弾性糸を含まない織テープ、綿テープ）、弾性糸を少し含み伸びが小さいテープ材、アモルファス樹脂ファイバーの編物や織物、伸縮性のテープ材に樹脂を含浸させたもの、により構成されている。
【００２９】
右（左）カップ部２Ｒ（２Ｌ）の脇側端部のそれぞれには、前中心連結部３に比べて相対的に幅が広い右（左）脇布部４Ｒ（４Ｌ）の一方の端部が縫われている。右（左）脇布部４Ｒ（４Ｌ）の他方の端部は、図３Ｂのように後見ごろ１２中の接ぎ線により、衣服部１に縫い合わされている。
【００３０】
一定の幅を有する右（左）脇布部４Ｒ（４Ｌ）の素材としては、例えば、パワーネット、トリコット、トリコネット等の経編地を使用できるが、平テープのような幅の狭いものを使用することもできる。右（左）脇布部４Ｒ（４Ｌ）が有する「一定の幅」については、例えば８ｃｍ程度で良く、標準サイズでは３〜９ｃｍである。右（左）脇布部４Ｒ（４Ｌ）は、運動追従性やサイズ適応性を考慮して、伸縮性の素材で形成されている。弾性糸を含むものが好ましく、例えばグラデーションヘムパワーネットが好適である。これは、一種のパワーネットであって両端部が縫製始末の不要なヘム使いとなっている。パワーネットの中に入れる弾性糸の本数や太さを変えたり、編組織を変えたりすることで、部分的にパワーの強弱差を付けることができる。本実施形態では、着用状態で上下両端部のパワーを強くし、その間（中間部）のパワーを両端部より弱くしている。なお、着用状態で中間部のパワーを強くし、上下両端部のパワーを中間部より弱くしている態様でもよい。以上、パワーネットについて説明したが、トリコットやトリコネットについても同様のことが言える。
【００３１】
右（左）カップ部２Ｒ（２Ｌ）の上端部には、右（左）カップ吊り紐５Ｒ（５Ｌ）の一方の端部が縫いつけられている。前身ごろ１１のネックホール縁部１６には、右（左）カップ吊り紐５Ｒ（５Ｌ）の他方の端部が縫いつけられている。カップ吊り紐は、カップ吊りテープ材の一例である。
【００３２】
右（左）カップ吊り紐５Ｒ（５Ｌ）としては、伸縮性を有するコールゴムが好適であり、編ゴム、織ゴム、各種のストレッチテープも使用できる。運動追従性を考慮して伸縮性の素材が好ましいが、右（左）カップ部２Ｒ（２Ｌ）の上端とネックホール縁部１６が近い場合には伸縮性がなくても良い。伸縮性の程度については、テープ素材に含まれる弾性糸の種類、太さ、本数、編組織、織組織を変えることで自由に設定できる。例えば、異種類のテープを縦方向に連結することにより、又は、一本のテープの途中で編組織を変えることにより、パワーに強弱差をつけることができる。これにより、右（左）カップ部２Ｒ（２Ｌ）に縫い付ける部分の伸びを小さくし、右（左）カップ部２Ｒ（２Ｌ）からネックホール縁部１６に至る部分の伸びを大きくすることができる。なお、異種類のテープの代わりに、厚みや幅の異なる同種類のテープでも同様のことができる。
【００３３】
右（左）カップ吊り紐５Ｒ（５Ｌ）が伸縮性に富む場合、着用者が右腕を上げると、右手を上げた方向にほぼ沿って伸びるように配置された左カップ吊り紐５Ｌは、伸長しながら左カップ部２Ｌを引き上げる。着用者が左腕を上げると、左手を上げた方向にほぼ沿って伸びるように配置された右カップ吊り紐５Ｒは、伸長しながら右カップ部２Ｒを引き上げる。これにより、激しい腕の運動によっても、バストの保持が安定し、かつ、バストの造型（バストアップ）機能を発揮できる。
【００３４】
また、伸縮性を有する右（左）脇布部４Ｒ（４Ｌ）の端部が衣服部１に縫いつけられている。よって、左腕を上げたときに右カップ吊り紐５Ｒと右脇布部４Ｒが右カップ部２Ｒを挟んで伸長しながら引っ張り合うことになる。右腕を上げたときに左カップ吊り紐５Ｌと左脇布部４Ｌが左カップ部２Ｌを挟んで伸長しながら引っ張り合うこととなる。この結果、運動時にもアンダーが安定し、バストの安定性は更に向上する。
【００３５】
次に、実施形態の他のタイプについて、第１タイプとの相違点を説明する。図４は、実施形態の第２タイプであり、着用状態の水着の斜視図である。右（左）脇布部４Ｒ（４Ｌ）の他方の端部は、前身ごろ１１と後見ごろ１２の縫い合わせ部に縫い付けられている。
【００３６】
図５は、実施形態の第３タイプであり、水着の正面図である。第３タイプでは、右カップ部２Ｒと左カップ部２Ｌは前中心部で一体となっている。
【００３７】
図６は、実施形態の第４タイプであり、水着の正面図である。第４タイプでは、右カップ部２Ｒ、左カップ部２Ｌの形状が三角形である。
【００３８】
図７は、実施形態の第５タイプであり、水着の正面図である。第５タイプでは、右（左）脇布部４Ｒ（４Ｌ）が細い紐状となっている点で図６に示す第４タイプと相違する。
【００３９】
図８は、実施形態の第６タイプであり、水着の正面図である。第６タイプにおいて、前中心連結部３は接続手段の一例であるホックを含む。これにより、右カップ部２Ｒと左カップ部２Ｌは、前中心で連結、分離可能となる。ホックは公知のプラスティック製ホックや金属製ホックを使用できる。この構成によれば、右（左）カップ部２Ｒ（２Ｌ）にバストを容易にフィッティングすることができる。
【００４０】
図９は、実施形態の第７タイプであり、水着の正面図である。第７タイプは、いわゆるセパレートタイプであるが胸部の構成は図２と同様である。
【００４１】
図１０は、実施形態の第８タイプであり、水着の正面図である。第８タイプにおいて、右（左）カップ部２Ｒ（２Ｌ）の前中心側は、それぞれ前身ごろ１１に縫い付けられている。前身ごろ１１はその前中心においてネックホール縁部１６から前中心の下部に至るまで左右に分割されている。この分割は、ファスナー歯７１とスライダー７２からなるファスナーにより開閉自在に構成されている。第８タイプによれば、カップ付き水着の着用自体が容易になり、かつ、右（左）カップ部２Ｒ（２Ｌ）にバストを容易にフィッティングすることができる。
【００４２】
図１１は、実施形態の第９タイプであり、水着の前面の裏面図である。水着の前面の裏面図なので、図面の左右と着用者の左右は一致している。第９タイプは、右（左）カップ吊り紐５Ｒ（５Ｌ）の一部を右（左）カップ部２Ｒ（２Ｌ）の構成要素の一部にしている。以下、詳細に説明する。
【００４３】
右（左）カップ部２Ｒ（２Ｌ）の本体を構成する右（左）カップ部材２１Ｒ（２１Ｌ）は、その脇側部分の上端部から下端部にかけての縁部が滑らかに屈曲した弧形状をしている。右（左）カップ部材２１Ｒ（２１Ｌ）の前中心側の上部は、略直線形状をなしている。弧形状の縁部に沿って取り付けられたテープ材２２１Ｒ（２２１Ｌ）は、右（左）カップ部材２１Ｒ（２１Ｌ）の上端部から着用状態における着用者のネックポイント近傍の方向に向かって滑らかに導出され、先端部が衣服部１の前身ごろ１１のネックホール縁部１６に縫い付けられている。これにより、弧形状の縁部に沿って取り付けられたテープ材２２１Ｒ（２２１Ｌ）のうちで、右（左）カップ部材２１Ｒ（２１Ｌ）の上端部からネックポイント近傍の方向に滑らかに導出された部分は、伸縮性を有する右（左）カップ吊り紐５Ｒ（５Ｌ）として機能することになる。
【００４４】
なお、右（左）カップ部材２１Ｒ（２１Ｌ）の前中心側の上部は略直線形状をなしているが、この縁部には別のテープ材２２２Ｒ（２２２Ｌ）が縫い付けられている。また、右（左）カップ部２Ｒ（２Ｌ）は、前中心において非伸縮性（又は伸縮性の少ない）のテープ布材からなる前中心連結部３により連結されている。右（左）カップ部２Ｒ（２Ｌ）の脇側は、右（左）脇布部４Ｒ（４Ｌ）の一方の端部が縫いつけられている。右（左）脇布部４Ｒ（４Ｌ）の他方の端部は、前身ごろ１１に縫いつけられている。右（左）脇布部４Ｒ（４Ｌ）は、幅広の伸縮性布材からなる。
【００４５】
このように、図１１に示す第９タイプによれば、テープ材２２１Ｒ（２２１Ｌ）は、右（左）カップ部材２１Ｒ（２１Ｌ）の上端部で折れ曲がることなく、滑らかに互いに交叉する方向に向かって導出されるので、右（左）カップ部２Ｒ（２Ｌ）の動きの安定性が更に高まる。
【００４６】
［第１参考例］
次に、第１参考例に係るカップ付き水着について、実施形態と相違する点を説明する。第１参考例は、図１Ｂに示すように、右（左）カップ吊り紐５Ｒ（５Ｌ）の他方の端部は、前中心線８上に位置している。別の表現を用いれば、右（左）カップ吊り紐５Ｒ（５Ｌ）の他方の端部は、それぞれ、前身ごろ１１の同じ位置に取り付けられている。さらに、別の表現を用いれば、右（左）カップ吊り紐５Ｒ（５Ｌ）同士が互いに交叉する位置で、それらの端部がネックホール縁部１６に取り付けられている。
【００４７】
第１参考例は、図１２、図１３Ａ、図１４Ａで示すように、様々なタイプがある。図１２は、第１参考例の第１タイプであり、水着の正面図である。図１３Ａは第１参考例の第２タイプであり、着用状態の水着の斜視図である。図１３Ｂは、第１参考例の第２タイプであり、水着の背面図である。図１４Ａは、第１参考例の第３タイプであり、着用状態の水着の斜視図である。図１４Ｂは、第１参考例の第３タイプであり、水着の背面図である。第３タイプは、右（左）脇布部４Ｒ（４Ｌ）の取り付け位置が第２タイプと異なる。第１参考例の第１〜第３タイプにおいて、右（左）カップ部２Ｒ（２Ｌ）等の材料は、実施形態と同様である。
【００４８】
［第２参考例］
次に、第２参考例に係るカップ付き水着について、実施形態と相違する点を説明する。第２参考例は、図１Ｃに示すように、右（左）カップ吊り紐５Ｒ（５Ｌ）の他方の端部は、前中心線８に対して、左（右）側に位置している。別の表現を用いると、右（左）カップ吊り紐同士５Ｒ（５Ｌ）が互いに交叉した位置の更に上方で、これらの端部がネックホール縁部１６に取り付けられている。
【００４９】
第２参考例は、図１５、図１６で示すように、様々なタイプがある。図１５は、第２参考例の第１タイプであり、水着の正面図である。図１６は、第２参考例の第２タイプであり、水着の正面図である。図１６に示す第２タイプは、図１０に示す実施形態のように、ファスナー歯７１とスライダー７２からなるファスナー手段により開閉自在に構成されている。右（左）カップ吊り紐５Ｒ（５Ｌ）の端部は、ファスナー歯７１が取り付けられているファスナーテープ７３に、縫い付けられている。図１６に示す第２タイプは、右カップ吊り紐５Ｒは左上方向に伸び、左カップ吊り紐５Ｌは右上方向に伸び、これらはネックホール縁部１６の手前の位置で互いに交叉した後、前身ごろ１１（前身ごろ１１に縫着されたファスナーテープ７３）に取り付けられているのと同等となる。第２参考例の第１、第２タイプにおいて、右（左）カップ部２Ｒ（２Ｌ）等の材料は、実施形態と同様である。
【００５０】
［変形例］
次に、実施形態、第１参考例及び第２参考例の変形例を説明する。例えば、実施形態、第１参考例及び第２参考例において、右（左）カップ吊り紐５Ｒ（５Ｌ）の上端部（他方の端部）は、前身ごろ１１のネックホール縁部１６に縫い付けている。しかしながら、例えば実開昭６０−６７３１３号公報のようなアジャスター（接続手段の一例）を設けて、右（左）カップ吊り紐５Ｒ（５Ｌ）の上端部を、前身ごろ１１に対して取り付け、取り外し可能にしても良い。また、右（左）カップ吊り紐５Ｒ（５Ｌ）の下端部（一方の端部）を右（左）カップ部２Ｒ（２Ｌ）の上縁部に対して、取り付け、取り外し可能にしても良い。
【００５１】
このような変形例を図１７Ａ、図１７Ｂ、図１８〜図２１により説明する。まず、図１７Ａ、図１７Ｂ、図１８〜図２１に共通する要素について説明する。右（左）カップ部２Ｒ（２Ｌ）は、その下側縁部に下部テープ材２３を有し、上側縁部に上部テープ材２４Ｒ（２４Ｌ）を有する。そして、下部テープ材２３の脇側両端は、右（左）脇布部４Ｒ（４Ｌ）において前身ごろ１１に取り付けられる。上部テープ材２４Ｒ（２４Ｌ）の上端部は、右（左）カップ吊り紐５Ｒ（５Ｌ）によってネックホール縁部１６に取り付けられる。
【００５２】
次に、各変形例のそれぞれの相違点を説明する。図１７Ａにおいて、右（左）カップ吊り紐５Ｒ（５Ｌ）の上端部（他方の端部）は、ネックホール縁部１６に縫い付けられている。右（左）カップ吊り紐５Ｒ（５Ｌ）の下端部（一方の端部）に、図１７Ｂに示すホック５１Ｒ（５１Ｌ）が取り付けられている。ホック５１Ｒ（５１Ｌ）により、右（左）カップ吊り紐５Ｒ（５Ｌ）は、右（左）カップ部２Ｒ（２Ｌ）に対して取り付け、取り外し可能になっている。
【００５３】
図１８において、右（左）カップ吊り紐５Ｒ（５Ｌ）の上端部にホック５１Ｒ（５１Ｌ）が取り付けられている。これにより、右（左）カップ吊り紐５Ｒ（５Ｌ）は、ネックホール縁部１６に対して取り付け、取り外し可能になっている。なお、右（左）カップ吊り紐５Ｒ（５Ｌ）の下端部は、右（左）カップ部２Ｒ（２Ｌ）に縫い付けられている。
【００５４】
図１９において、下部テープ材２３は、右（左）カップ部２Ｒ（２Ｌ）の脇側端部から更に脇側に伸びることにより右（左）脇布部４Ｒ（４Ｌ）を構成する。下部テープ材２３の両先端部にホック４１Ｒ、４１Ｌが取り付けられている。右（左）脇布部４Ｒ（４Ｌ）は、ホック４１Ｒ、４１Ｌにより、前身ごろ１１の脇部に対して取り付け、取り外し可能になっている。
【００５５】
図２０において、下部テープ材２３は、右（左）カップ部２Ｒ（２Ｌ）の脇側端部で切断されている。これら切断箇所から脇側に伸びた部分が右（左）脇布部４Ｒ（４Ｌ）を構成する。右（左）脇布部４Ｒ（４Ｌ）は、前身ごろ１１の脇部に縫い付けられている。右（左）脇布部４Ｒ（４Ｌ）の先端部（一方の端部）には、ホック４１Ｒ（４１Ｌ）が取り付けられている。ホック４１Ｒ（４１Ｌ）により、右（左）脇布部４Ｒ（４Ｌ）は、右（左）カップ部２Ｒ（２Ｌ）の脇側端部に対して取り付け、取り外し可能になっている。
【００５６】
図２１は、図１８及び図１９の特徴を組み合わせた変形例である。右（左）カップ部２Ｒ（２Ｌ）は、脇部側のホック４１Ｒ（４１Ｌ）及びネックホール側のホック５１Ｒ（５１Ｌ）により、衣服部に対して取り付け、取り外し可能になっている。
【００５７】
なお、ホックは接続手段の一例であり、接続手段の具体的構成がホックに限定されないことは言うまでもない。本発明は水着たけでなく、レオタード、スポーツアンダーのようなカップ付きスポーツ衣類の全般に広く適用できる。
【００５８】
［本発明の好ましい形態］
本発明の好ましい形態を以下に整理する。
一方のカップ吊り部材と他方のカップ吊り部材の延長線が互いに交叉する位置は、着用状態における着用者のフロントネックポイント近傍であることを特徴とすることが望ましい。ここで、フロントネックポイントとは「ＪＩＳＬ ０１１１」（１９８３）に規定の「衣料のための身体用語」で示された概念である。この場合の「近傍」の意味は、着用者の体格やカップ付きスポーツ衣類のデザイン等によって微妙に異なる。標準体型の場合はフロントネックポイントを中心として、概ね左右のショルダポイントの中間（範囲の下限）から眉間点（範囲の上限）までの間の範囲である。
【００５９】
本発明のカップ付きスポーツ衣類において、一方の端部及び他方の端部を有する一方の脇布部と、一方の端部及び他方の端部を有する他方の脇布部と、を備え、一方の脇布部の一方の端部は、一方のカップ部に取り付けられ、一方の脇布部の他方の端部は、衣服部に取り付けられ、他方の脇布部の一方の端部は、他方のカップ部に取り付けられ、他方の脇布部の他方の端部は、衣服部に取り付けられているようにしても良い。このようにすれば、左腕を上げたときに右のカップ吊り紐と右の脇布部が右のカップ部を挟んで引っ張り合うことになり、右腕を上げたときに左カップ吊り紐と左の脇布部が左のカップ部を挟んで引っ張り合うこととなるので、運動時にもアンダーが安定し、バストの安定性は更に向上する。なお、脇布部の一方の端部をカップ部に対して、接続手段により、取り付け、取り外し可能にする場合も、同様の作用が奏される。あるいは脇布部の他方の端部を、衣服部に対して、接続手段により、取り付け、取り外し可能にする場合も、同様の作用が奏される。
【００６０】
本発明のカップ付きスポーツ衣類において、一方のカップ部と他方のカップ部を前中心で連結するための前中心連結部を備え、前中心連結部は接続手段を含み、前記前中心連結部の接続手段により、一方のカップ部と他方のカップ部は、前中心で連結、分離可能にされているようにしても良い。このようにすれば、カップ付きスポーツ衣類の着用に際して、カップ部にバストを容易にフィッティングすることができる。
【００６１】
本発明のカップ付きスポーツ衣類において、一方のカップ部の前中心側及び他方のカップ部の前中心側は、それぞれ衣服部に取り付けられ、衣服部はその前中心において一方側及び他方側に分割されてファスナー手段により開閉自在に構成されているようにしても良い。このようにすれば、カップ付きスポーツ衣類の着用自体が容易になり、かつ、カップ部にバストを容易にフィッティングすることができる。
【００６２】
本発明のカップ付きスポーツ衣類において、一方のカップ吊り部材の他方の端部は、接続手段により衣服部の前身ごろに対して、取り付け、取り外し可能にされており、他方のカップ吊り部材の他方の端部は、接続手段により衣服部の前身ごろに対して、取り付け、取り外し可能にされているようにしても良い。このようにすれば、カップ付きスポーツ衣類の着用に際して、カップ部にバストを容易にフィッティングすることができる。なお、一方（他方）のカップ吊り部材の一方（他方）の端部は、接続手段により一方（他方）のカップ部に対して、取り付け、取り外し可能にされている場合であっても、同様の作用が奏される。
【００６３】
本発明のカップ付きスポーツ衣類において、一方のカップ吊り部材は、その一方の端部が一方のカップ部の上縁部に取り付けられ、その他方の端部が衣服部の前身ごろのネックホール縁部に取り付けられた伸縮可能なテープ材であり、他方のカップ吊り部材は、その一方の端部が他方のカップ部の上縁部に取り付けられ、その他方の端部が衣服部の前身ごろのネックホール縁部に取り付けられた伸縮可能なテープ材であるようにしても良い。このようにすれば、腕を大きく上げたときにカップ吊りテープ材が伸びることで、更にカップ部の動きが緩和される。
【００６４】
本発明のカップ付きスポーツ衣類において、一方のカップ部の本体を構成する一方のカップ部材、他方のカップ部の本体を構成する他方のカップ部材のそれぞれは、その脇側部分の上端部から下端部にかけての縁部が滑らかに屈曲した弧形状をなし、その弧形状の縁部に沿って取り付けられたテープ材が当該カップ部材の上端部から着用状態における着用者のネックポイント近傍の方向に滑らかに導出されて先端部が衣服部の前身ごろ（より好ましくは、ネックホール縁部に縫着等で）に取り付けられていても良い。
【００６５】
このようにすれば、弧形状の縁部に沿って取り付けられたテープ材は、一方（他方）のカップ部材の上端部からネックポイント近傍の方向に滑らかに導出されることで一方（他方）のカップ吊り部材として機能することになる。そして、滑らかに（言い換えると、カップ部材の上端部で折れ曲がること無く）導出されるので、一方（他方）のカップ部の動きの安定性が更に高まる。
【００６６】
なお、上記各接続手段としては、例えば、逢着、ボタン（カップ吊部材の先端が輪状となり、ボタンと係合）、金属や樹脂からなるフック状係合具、ホック（雌雄の系合ボタン）がある。
【００６７】
【発明の効果】
以上、詳細に説明したように、本発明のカップ付きスポーツ衣類によれば、運動に伴う激しい腕の動きによるカップ部の動きが大幅に緩和される一方で、腕を上げたときのカップ吊り紐による作用が、いわゆる「寄せ」方向にカップ部を引き上げるように働くので、運動時にバストを美しく寄せ上げる、という格別の造型機能を発揮できる。
【図面の簡単な説明】
【図１】  図１Ａは、実施形態の概要を示すカップ付きスポーツ衣類の正面図である。図１Ｂは、第１参考例の概要を示すカップ付きスポーツ衣類の正面図である。図１Ｃは、第２参考例の概要を示すカップ付きスポーツ衣類の正面図である。
【図２】  図２は、実施形態の第１タイプに係る水着の正面図である。
【図３】  図３Ａは、図２に示す水着の着用状態の斜視図である。図３Ｂは、図２に示す水着の背面図である。
【図４】  図４は、実施形態の第２タイプであり、着用状態の水着の斜視図である。
【図５】  図５は、実施形態の第３タイプであり、水着の正面図である。
【図６】  図６は、実施形態の第４タイプであり、水着の正面図である。
【図７】  図７は、実施形態の第５タイプであり、水着の正面図である。
【図８】  図８は、実施形態の第６タイプであり、水着の正面図である。
【図９】  図９は、実施形態の第７タイプであり、水着の正面図である。
【図１０】  図１０は、実施形態の第８タイプであり、水着の正面図である。
【図１１】  図１１は、実施形態の第９タイプであり、水着の前面の裏面図である。
【図１２】  図１２は、第１参考例の第１タイプであり、水着の正面図である。
【図１３】  図１３Ａは、第１参考例の第２タイプであり、着用状態の水着の斜視図である。図１３Ｂは、図１３Ａに示す水着の背面図である。
【図１４】  図１４Ａは、第１参考例の第３タイプであり、着用状態の水着の斜視図である。図１４Ｂは、図１４Ａに示す水着の背面図である。
【図１５】  図１５は、第２参考例の第１タイプであり、水着の正面図である。
【図１６】  図１６は、第２参考例の第２タイプであり、水着の正面図である。
【図１７】  図１７Ａは、カップ付き水着の変形例を示す正面図である。図１７Ｂは、図１７Ａのホックを示す図である。
【図１８】  図１８は、カップ付き水着の別の変形例を示す正面図である。
【図１９】  図１９は、カップ付き水着の別の変形例を示す正面図である。
【図２０】  図２０は、カップ付き水着の別の変形例を示す正面図である。
【図２１】  図２１は、カップ付き水着の別の変形例を示す正面図である。
【図１Ａ】
0004782356.tif 000002
【図１Ｂ】
0004782356.tif 000003
【図１Ｃ】
0004782356.tif 000004
【図２】
0004782356.tif 000005
【図３Ａ】
0004782356.tif 000006
【図３Ｂ】
0004782356.tif 000007
【図４】
0004782356.tif 000008
【図５】
0004782356.tif 000009
【図６】
0004782356.tif 000010
【図７】
0004782356.tif 000011
【図８】
0004782356.tif 000012
【図９】
0004782356.tif 000013
【図１０】
0004782356.tif 000014
【図１１】
0004782356.tif 000015
【図１２】
0004782356.tif 000016
【図１３Ａ】
0004782356.tif 000017
【図１３Ｂ】
0004782356.tif 000018
【図１４Ａ】
0004782356.tif 000019
【図１４Ｂ】
0004782356.tif 000020
【図１５】
0004782356.tif 000021
【図１６】
0004782356.tif 000022
【図１７Ａ】
0004782356.tif 000023
【図１７Ｂ】
0004782356.tif 000024
【図１８】
0004782356.tif 000025
【図１９】
0004782356.tif 000026
【図２０】
0004782356.tif 000027
【図２１】
0004782356.tif 000028